(57)【要約】【課題】グループ情報ファイルを用いて記録媒体上に存在するファイルのグルーピングを行い、グループ単位での管理及び再生制御を可能とする。【解決手段】グループ情報取得手段１１により記録媒体上に作成されたグループ情報ファイルを読み込んでグループ情報を取得し、グループ情報取得手段１１により取得された前記グループ情報に基づきグルーピング手段１２が記録媒体上の複数のファイルを一又は複数のグループとしてグルーピングし、再生制御手段１３がこのグルーピング処理によるグループ単位でファイル再生動作の制御を行う。【選択図】  図１
2004158057.tif 000002
【特許請求の範囲】
【請求項１】
記録媒体上に作成されたグループ情報ファイルを読み込んでグループ情報を取得するグループ情報取得手段と、
該グループ情報取得手段により取得された前記グループ情報に基づき、前記記録媒体上の複数のファイルを一又は複数のグループとしてグルーピングするグルーピング手段と、
該グルーピング手段によってグルーピングされたグループ単位でファイル再生動作の制御を行う再生制御手段とを有することを特徴とするファイル再生装置。
【請求項２】
前記グループ情報ファイルは、グループ毎にグループ全体としての情報及びグループを構成する各ファイルの情報が記録されていることを特徴とする請求項１記載のファイル再生装置。
【請求項３】
前記グループ情報ファイルは、前記記録媒体上に存在するグループの数、並びに、グループ毎にグループ全体としての情報及びグループを構成する各ファイルの情報が記録されていることを特徴とする請求項１記載のファイル再生装置。
【請求項４】
前記グループ情報ファイルは、前記記録媒体上の所定の場所に所定のファイル名で一つだけ存在し、前記グループ情報取得手段は、前記記録媒体上の前記所定の場所からの読み込み動作を行うことによりグループ情報ファイルを読み込み、該読み込まれたグループ情報ファイルからグループ情報を取得することを特徴とする請求項１記載のファイル再生装置。
【請求項５】
前記グループ情報ファイルは、前記記録媒体上に少なくとも１つ存在し、前記グループ情報取得手段は、ユーザによって選択された前記グループ情報ファイルを読み込み、該読み込まれたグループ情報ファイルからグループ情報を取得することを特徴とする請求項１記載のファイル再生装置。
【請求項６】
前記グループ情報取得手段が読み込んだ前記グループ情報ファイルに記録されている情報の一部を更新する更新手段を有することを特徴とする請求項１記載のファイル再生装置。
【請求項７】
記録媒体上に複数のファイルを記録するファイル記録手段と、
該ファイル記録手段によりファイルを記録する際に、ファイル再生装置が前記複数のファイルを一又は複数のグループとしてグルーピングするためのグループ情報ファイルを前記記録媒体上に作成するグループ情報ファイル作成手段とを有することを特徴とするファイル記録装置。
【請求項８】
前記グループ情報ファイル作成手段は、グループ毎にグループ全体としての情報及びグループを構成する各ファイルの情報を前記グループ情報ファイルとして作成することを特徴とする請求項７記載のファイル記録装置。
【請求項９】
前記グループ情報ファイル作成手段は、前記記録媒体上の所定の場所に所定のファイル名で一つだけ存在するように前記グループ情報ファイルを作成することを特徴とする請求項７記載のファイル記録装置。
【請求項１０】
前記グループ情報ファイル作成手段は、少なくとも１つのグループ情報ファイルを前記記録媒体上に作成することを特徴とする請求項７記載のファイル記録装置。
【請求項１１】
記録媒体上に複数のファイルを記録するファイル記録手段と、
該ファイル記録手段によりファイルを記録する際に、前記複数のファイルを一又は複数のグループとしてグルーピングするためのグループ情報ファイルを前記記録媒体上に作成するグループ情報ファイル作成手段と、
前記記録媒体上に作成された前記グループ情報ファイルを読み込んでグループ情報を取得するグループ情報取得手段と、
該グループ情報取得手段により取得された前記グループ情報に基づき、前記記録媒体上の複数のファイルを一又は複数のグループとしてグルーピングするグルーピング手段と、
該グルーピング手段によってグルーピングされたグループ単位でファイル再生動作の制御をおこなう再生制御手段とを有することを特徴とするファイル記録再生装置。
【請求項１２】
記録媒体上に作成されたグループ情報ファイルを読み込んでグループ情報を取得するグループ情報取得ステップと、
該グループ情報取得ステップにより取得された前記グループ情報に基づき、前記記録媒体上の複数のファイルを一又は複数のグループとしてグルーピングするグルーピングステップと、
該グルーピングステップによってグルーピングされたグループ単位でファイル再生動作の制御をおこなう再生制御ステップとを有することを特徴とするファイル再生方法。
【請求項１３】
前記グループ情報ファイルは、グループ毎にグループ全体としての情報及びグループを構成する各ファイルの情報が記録されていることを特徴とする請求項１２記載のファイル再生方法。
【請求項１４】
前記グループ情報ファイルは、前記記録媒体上に存在するグループの数、並びに、グループ毎にグループ全体としての情報及びグループを構成する各ファイルの情報が記録されていることを特徴とする請求項１２記載のファイル再生方法。
【請求項１５】
前記グループ情報ファイルは、前記記録媒体上の所定の場所に所定のファイル名で一つだけ存在し、前記グループ情報取得ステップでは、前記記録媒体上の前記所定の場所からの読み込み動作を行うことによりグループ情報ファイルを読み込み、該読み込まれたグループ情報ファイルからグループ情報を取得することを特徴とする請求項１２記載のファイル再生方法。
【請求項１６】
前記グループ情報ファイルは、前記記録媒体上に少なくとも１つ存在し、前記グループ情報取得ステップでは、ユーザによって選択された前記グループ情報ファイルを読み込み、該読み込まれたグループ情報ファイルからグループ情報を取得することを特徴とする請求項１２記載のファイル再生方法。
【請求項１７】
前記グループ情報取得ステップにて読み込んだ前記グループ情報ファイルに記録されている情報の一部を更新する更新ステップを有することを特徴とする請求項１２記載のファイル再生方法。
【請求項１８】
記録媒体上に複数のファイルを記録するファイル記録ステップと、
該ファイル記録ステップによりファイルを記録する際に、ファイル再生装置が前記複数のファイルを一又は複数のグループとしてグルーピングするためのグループ情報ファイルを前記記録媒体上に作成するグループ情報ファイル作成ステップとを有することを特徴とするファイル記録方法。
【請求項１９】
前記グループ情報ファイル作成ステップでは、グループ毎にグループ全体としての情報及びグループを構成する各ファイルの情報を前記グループ情報ファイルとして作成することを特徴とする請求項１８記載のファイル記録方法。
【請求項２０】
前記グループ情報ファイル作成ステップでは、前記記録媒体上の所定の場所に所定のファイル名で一つだけ存在するように前記グループ情報ファイルを作成することを特徴とする請求項１８記載のファイル記録方法。
【請求項２１】
前記グループ情報ファイル作成ステップでは、少なくとも１つのグループ情報ファイルを前記記録媒体上に作成することを特徴とする請求項１８記載のファイル記録方法。
【請求項２２】
記録媒体上に複数のファイルを記録するファイル記録ステップと、
該ファイル記録ステップによりファイルを記録する際に、前記複数のファイルを一又は複数のグループとしてグルーピングするためのグループ情報ファイルを前記記録媒体上に作成するグループ情報ファイル作成ステップと、
前記記録媒体上に作成された前記グループ情報ファイルを読み込んでグループ情報を取得するグループ情報取得ステップと、
該グループ情報取得ステップにより取得された前記グループ情報に基づき、前記記録媒体上の複数のファイルを一又は複数のグループとしてグルーピングするグルーピングステップと、
該グルーピングステップによってグルーピングされたグループ単位でファイル再生動作の制御をおこなう再生制御ステップとを有することを特徴とするファイル記録再生方法。
【請求項２３】
請求項１〜６の何れか１項に記載のファイル再生装置、請求項７〜１０の何れか１項に記載のファイル記録装置、又は、請求項１１記載のファイル記録再生装置の各手段としてコンピュータを機能させるためのプログラムを記録したことを特徴とするコンピュータ読み取り可能な記録媒体。
【請求項２４】
請求項１２〜１７の何れか１項に記載のファイル再生方法、請求項１８〜２１の何れか１項に記載のファイル記録方法、又は、請求項２２記載のファイル記録再生方法の処理ステップをコンピュータに実行させるためのプログラムを記録したことを特徴とするコンピュータ読み取り可能な記録媒体。
【請求項２５】
請求項１〜６の何れか１項に記載のファイル再生装置、請求項７〜１０の何れか１項に記載のファイル記録装置、又は、請求項１１記載のファイル記録再生装置の各手段としてコンピュータを機能させるためのプログラム。
【請求項２６】
請求項１２〜１７の何れか１項に記載のファイル再生方法、請求項１８〜２１の何れか１項に記載のファイル記録方法、又は、請求項２２記載のファイル記録再生方法の処理ステップをコンピュータに機能させるためのプログラム。
【発明の詳細な説明】
【０００１】
【発明の属する技術分野】
本発明は、例えばランダムアクセス可能な記録媒体を用いて音声、画像等のデジタルデータを記録・再生するファイル再生装置、ファイル記録装置、ファイル記録再生装置、ファイル再生方法、ファイル記録方法、ファイル記録再生方法、記録媒体及びプログラムに関するものである。
【０００２】
【従来の技術】
従来、インターネットを介して音楽ファイルをダウンロードするサービスが行われており、記録媒体に保存した音楽ファイルを再生する携帯プレイヤーや、パソコン上で再生するためのプログラムが作成されている。また、パソコン等を介して、ＣＤの音楽データをこのようなプレイヤー用のデータに変換するシステムが提供されている。これらのプレイヤーやプログラムは、記録媒体上の音楽ファイルをサーチして、プレイヤー独自の再生順序またはユーザが設定した順序で再生を行っている。
【０００３】
【発明が解決しようとする課題】
しかしながら、記録容量が大きくなり保存できるファイル数が増えると、単一の記録媒体に多くのＣＤ音楽ファイル単位での再生制御手法しか提供されておらず、ＣＤチェンジャーのように記録されたＣＤの単位での管理を行う手法は提供されていない。このため、例えばＣＤアルバム単位で管理してタイトルやアーチスト名などの情報を提供したり、ＣＤ単位での再生制御を行うことができなかった。
【０００４】
本発明は、上記問題点に鑑みてなされたものであり、グループ情報ファイルを用いて記録媒体上に存在するファイルのグルーピングを行い、グループ単位での管理及び再生制御を可能とするファイル再生装置、ファイル記録装置、ファイル記録再生装置、ファイル再生方法、ファイル記録方法、ファイル記録再生方法、記録媒体及びプログラムを提供することを目的とする。
【０００５】
【課題を解決するための手段】
かかる目的を達成するために、本発明の第１の態様であるファイル再生装置は、記録媒体上に作成されたグループ情報ファイルを読み込んでグループ情報を取得するグループ情報取得手段と、該グループ情報取得手段により取得された前記グループ情報に基づき、前記記録媒体上の複数のファイルを一又は複数のグループとしてグルーピングするグルーピング手段と、該グルーピング手段によってグルーピングされたグループ単位でファイル再生動作の制御を行う再生制御手段とを有することを特徴とする。
【０００６】
また、本発明の第２の態様であるファイル記録装置は、記録媒体上に複数のファイルを記録するファイル記録手段と、該ファイル記録手段によりファイルを記録する際に、ファイル再生装置が前記複数のファイルを一又は複数のグループとしてグルーピングするためのグループ情報ファイルを前記記録媒体上に作成するグループ情報ファイル作成手段とを有することを特徴とする。
【０００７】
また、本発明の第３の態様であるファイル記録再生装置は、記録媒体上に複数のファイルを記録するファイル記録手段と、該ファイル記録手段によりファイルを記録する際に、前記複数のファイルを一又は複数のグループとしてグルーピングするためのグループ情報ファイルを前記記録媒体上に作成するグループ情報ファイル作成手段と、前記記録媒体上に作成された前記グループ情報ファイルを読み込んでグループ情報を取得するグループ情報取得手段と、該グループ情報取得手段により取得された前記グループ情報に基づき、前記記録媒体上の複数のファイルを一又は複数のグループとしてグルーピングするグルーピング手段と、該グルーピング手段によってグルーピングされたグループ単位でファイル再生動作の制御をおこなう再生制御手段とを有することを特徴とする。
【０００８】
また、本発明の第４の態様であるファイル再生方法は、記録媒体上に作成されたグループ情報ファイルを読み込んでグループ情報を取得するグループ情報取得ステップと、該グループ情報取得ステップにより取得された前記グループ情報に基づき、前記記録媒体上の複数のファイルを一又は複数のグループとしてグルーピングするグルーピングステップと、該グルーピングステップによってグルーピングされたグループ単位でファイル再生動作の制御をおこなう再生制御ステップとを有することを特徴とする。
【０００９】
また、本発明の第５の態様であるファイル記録方法は、記録媒体上に複数のファイルを記録するファイル記録ステップと、該ファイル記録ステップによりファイルを記録する際に、ファイル再生装置が前記複数のファイルを一又は複数のグループとしてグルーピングするためのグループ情報ファイルを前記記録媒体上に作成するグループ情報ファイル作成ステップとを有することを特徴とする。
【００１０】
また、本発明の第６の態様であるファイル記録再生方法は、記録媒体上に複数のファイルを記録するファイル記録ステップと、該ファイル記録ステップによりファイルを記録する際に、前記複数のファイルを一又は複数のグループとしてグルーピングするためのグループ情報ファイルを前記記録媒体上に作成するグループ情報ファイル作成ステップと、前記記録媒体上に作成された前記グループ情報ファイルを読み込んでグループ情報を取得するグループ情報取得ステップと、該グループ情報取得ステップにより取得された前記グループ情報に基づき、前記記録媒体上の複数のファイルを一又は複数のグループとしてグルーピングするグルーピングステップと、該グルーピングステップによってグルーピングされたグループ単位でファイル再生動作の制御をおこなう再生制御ステップとを有することを特徴とする。
【００１１】
また、本発明の第７の態様である記録媒体は、前記ファイル再生装置、前記ファイル記録装置、又は、前記ファイル記録再生装置の各手段としてコンピュータを機能させるためのプログラムを記録したことを特徴とする。
【００１２】
また、本発明の第８の態様である記録媒体は、前記ファイル再生方法、前記ファイル記録方法、又は、前記ファイル記録再生方法の処理ステップをコンピュータに実行させるためのプログラムを記録したことを特徴とする。
【００１３】
また、本発明の第９の態様であるプログラムは、前記ファイル再生装置、前記ファイル記録装置、又は、前記ファイル記録再生装置の各手段としてコンピュータを機能させることを特徴とする。
【００１４】
更に、本発明の第１０の態様であるプログラムは、前記ファイル再生方法、前記ファイル記録方法、又は、前記ファイル記録再生方法の処理ステップをコンピュータに機能させることを特徴とする。
【００１５】
【発明の実施の形態】
本発明は、アルバムタイトルのような仮想ＣＤ全体としての情報、及び仮想ＣＤを構成する各音楽ファイルの情報によってグループ情報ファイルを構成し、記録媒体上の所定の場所に記録し、このグループ情報ファイルを読み込むことによって、仮想ＣＤ単位での管理及び再生制御を行い、ＣＤチェンジャーが実現するようなＣＤ入れ替えに相当する処理を行うことが可能とするものである。
【００１６】
以下、本発明の実施の形態を添付図面を参照しながら詳細に説明する。
【００１７】
図１は、本発明の一実施形態における再生機器１の構成を機能的に示したブロック図である。本実施形態の再生機器１は、図１に示すように、記録媒体上に作成されたグループ情報ファイルを読み込んでグループ情報を取得するグループ情報取得手段１１と、グループ情報取得手段１１により取得されたグループ情報に基づき、記録媒体上の複数のファイルを一又は複数のグループとしてグルーピングするグルーピング手段１２と、グルーピング手段１２によってグルーピングされたグループ単位でファイル再生動作を行う再生制御手段１４と、グルーピング取得手段１１が読み込んだグループ情報ファイルに記録されている情報の一部を更新する更新手段１４により構成される。
【００１８】
図２は、本発明の一実施形態における記録機器２の構成を機能的に示したブロック図である。本実施形態の記録機器２は、図２に示すように、記録媒体上に一又は複数のファイルを記録させるファイル記録手段２１と、ファイル記録手段２１により複数のファイルが記録媒体に記録される際に、その記録媒体上にグループ情報ファイルを作成するグループ情報ファイル作成手段２２により構成される。以下に説明する本発明の第１及び第２の実施形態による動作は、上記再生機器１、記録機器２の機能構成に基づいて実行される。尚、ここでは、上記再生機器１と記録機器２それぞれに上記各手段を備える構成としているが、これに限らず上記再生機器１と記録機器２の機能を一体化した記録再生装置を構成することもできる。
【００１９】
＜第１の実施形態＞
図３は、本発明の第１の実施形態におけるグループ情報ファイルの構成例を示した図である。本実施形態では前記記録媒体はＭＳ−ＤＯＳで使用されているＦＡＴファイルシステムを用いており、グループ情報ファイルは、記録媒体上に“￥ｍｉｓｃ￥ｇｒｐｉｎｆｏ．ｍｒｋ”というパス名で作成されている。
【００２０】
自動的にグループ情報ファイルを検索、読み込みを行うために特定のパス名でグループ情報ファイルを作成することが望ましいが、そうでない場合は、ユーザがパス名を指定してグループ情報ファイルを読み込むことも可能である。グループ情報ファイルの先頭には、この情報ファイル内に登録されている仮想ＣＤのグル一プ数が“ｇｒｏｕｐ  ｎｕｍｂｅｒ”フィールドに記録されている。
【００２１】
“ｇｒｏｕｐ  ｎｕｍｂｅｒ”フィールドに続いて、各仮想ＣＤ単位で情報が記録されている。仮想ＣＤの情報の先頭には、該当仮想ＣＤ全体の情報として仮想ＣＤのタイトル、アーチスト名、総演奏時間、収録曲数がそれぞれ“ｇｒｏｕｐ  ｔｉｔｌｅ”、“ｇｒｏｕｐ  ａｒｔｉｓｔ”、“ｍｕｓｉｃ  ｎｕｍｂｅｒ”フィールドに記録されている。
【００２２】
これらのフィールドに続いて、仮想ＣＤ内の各音楽ファイルの情報が記録されている。各音楽ファイルの情報は、曲のタイトル、アーチスト名、演奏時間、ファイル名で構成され、それぞれ“ｍｕｓｉｃ  ｔｉｔｌｅ”、“ｍｕｓｉｃ  ａｒｔｉｓｔ”、“ｍｕｓｉｃ  ｔｉｍｅ”、“ｍｕｓｉｃ  ｐａｔｈ”フィールドに記録されている。
【００２３】
図３に示す例では、３つの仮想ＣＤが定義されており、第一の仮想ＣＤは、タイトルが“Ｃｉｔｒｏｅｎ”、アーチスト名が“Ｃｌａｉｒ”、総演奏時間が３１分４１秒、収録曲数が７曲であることが示されている。第三の仮想ＣＤは、タイトルが“ＨＩＴ！”、総演奏時間が６２分３０秒、収録曲数が１３曲であることを示し、収録曲ごとにアーチスト名が異なりＣＤのアーチスト名は未定義である。
【００２４】
図４は、前記グループ情報ファイルを使用したファイル再生アプリケーションのイメージを示した図である。Ｄｉｓｃ  Ｉｎｆｏｒｍａｔｉｏｎエリアには、仮想ＣＤのタイトルとアーチスト名が列挙されており、選択されている仮想ＣＤの情報はハイライト表示になっている。Ｍｕｓｉｃ  Ｉｎｆｏｍａｔｉｏｎのエリアには、選択されている仮想ＣＤに収録されている音楽ファイルの演奏時間、タイトル、アーチスト名が列挙され、選択されているファイルがハイライト表示になっており、そのファイルが演奏中である場合は“♪”マークが表示される。
【００２５】
Ｄｉｓｃ  Ｉｎｆｏｒｍａｔｉｏｎエリアの下には、Ｄｉｓｃ  ｃｈａｎｇｅボタンが配置されており、このボタンを使用して仮想ＣＤ切り換えを行う。Ｐｒｅｖボタンは現在選択されている仮想ＣＤの一つ前の仮想ＣＤへ、Ｎｅｘｔボタンは現在選択されている仮想ＣＤの一つ後の仮想ＣＤへの切り換えを行う。図４においては、第一の仮想ＣＤが選択されているため、Ｐｒｅｖボタンを使用すると、以下のいずれかの動作を行う。
（１−１）切り換えは行われずその時点の状態からは変化しない
（１−２）最後の仮想ＣＤ、“ＨＩＴ！”が選択される
【００２６】
また、Ｎｅｘｔボタンを使用すると、次の仮想ＣＤ、“Ｎｏ  Ｌｉｍｉｔａｔｉｏｎ”が選択される。最後の仮想ＣＤが選択されている場合には、以下のいずれかの動作を行う。
（２−１）切り換えは行われずその時点の状態からは変化しない
（２−２）先頭の仮想ＣＤ、“Ｃｉｔｒｏｅｎ”が選択される
【００２７】
仮想ＣＤの切り換え処理に伴い、Ｄｉｓｃ  Ｉｎｆｏｒｍａｔｉｏｎエリアの表示も更新され、新たに選択された仮想ＣＤの情報がハイライト表示される。また、Ｍｕｓｉｃ  Ｉｎｆｏｒｍａｔｉｏｎエリアの表示も更新され、新たに選択された仮想ＣＤの音楽ファイルの情報が列挙される。
【００２８】
仮想ＣＤの切り換え時には、以下のいずれかの動作を行う。
（３−１）新たに選択された仮想ＣＤの音楽ファイル情報が列挙されるが、その切り換え前に演奏を行っていた場合、演奏されていたファイルの演奏は継続される。
（３−２）新たに選択された仮想ＣＤの音楽ファイル情報が列挙され、その先頭ファイルが選択される。仮想ＣＤの切り換え前に演奏されていた場合は、演奏されていたファイルの演奏は中断される。
（３−３）新たに選択された仮想ＣＤの音楽ファイル情報が列挙され、その先頭ファイルが選択されて、選択されたファイルの演奏を開始する。
尚、仮想ＣＤの選択は、Ｄｉｓｃ  ｃｈａｎｇｅボタンではなく、Ｄｉｓｃ  Ｉｎｆｏｒｍａｔｉｏｎエリアのタイトルをマウス等で選択することによって直接行うことも可能である。
【００２９】
Ｍｕｓｉｃ  Ｉｎｆｏｒｍａｔｉｏｎエリアの下には、Ｐｌａｙ  ｃｏｎｔｒｏｌボタンとＰｌａｙ  ｍｏｄｅボタンが配置されており、Ｐｌａｙ  ｃｏｎｔｒｏｌボタンは再生制御に、Ｐｌａｙ  ｍｏｄｅボタンは再生モードの設定に使用される。
【００３０】
Ｐｌａｙ  ｃｏｎｔｒｏｌのＰｒｅｖボタンは、選択されているファイルの一つ前のファイルを選択する。ただしファイルの演奏途中にＰｒｅｖボタンが押された場合は、演奏中のファイルの先頭から再度演奏を開始する。Ｐｌａｙ  ｃｏｎｔｒｏｌのＮｅｘｔボタンは、選択されているファイルの一つ次のファイルを選択する。ただしファイルの演奏途中にＮｅｘｔボタンが押された場合は、次のファイルが選択されると共に、そのファイルの演奏を開始する。Ｐｌａｙ  ｃｏｎｔｒｏｌのＰｌａｙボタンは、選択されているファイルの演奏を開始する。Ｐｌａｙ  ｃｏｎｔｒｏｌのＳｔｏｐボタンは、ファイルの演奏を停止する。Ｐｌａｙ  ｃｏｎｔｒｏｌのＰａｕｓｅボタンは、ファイルの演奏を一時中断する。一時中断の状態でＰａｕｓｅボタンまたはＰｌａｙボタンが押されると演奏を再開する。尚、音楽ファイルの選択、演奏開始の操作はＰｌａｙ  ｃｏｎｔｒｏｌボタンではなく、Ｍｕｓｉｃ  Ｉｎｆｏｒｍａｔｉｏｎエリアのタイトルをマウス等で選択することによって直接行うことも可能である。
【００３１】
再生モードは大きく分けて“ｏｎｃｅ”と“ｒｅｐｅａｔ”の２種類の設定ができる。“ｏｎｃｅ”の場合は、ファイルの再生が終了すると演奏を停止し、“ｒｅｐｅａｔ”の場合は、ファイルの再生が終了した場合、繰り返し再生を行う。“ｏｎｃｅ”、“ｒｅｐｅａｔ”各々の再生モードでは、更に“Ｍｕｓｉｃ”、“Ｄｉｓｃ”、“Ａｌｌ”３つのモードに設定することができる。
【００３２】
“Ｏｎｃｅ”且つ“Ｍｕｓｉｃ”に設定されている場合、選択されたファイルの演奏が終了すると、そのファイルが選択されたままで再生動作を終了する。“ｏｎｃｅ”且つ“Ｄｉｓｃ”に設定されている場合、選択されたファイルの演奏が終了すると、同一仮想ＣＤ内の次のファイルが選択されて演奏を開始する。仮想ＣＤ内の最後のファイルの演奏が終了した場合は、同一仮想ＣＤ内の先頭のファイルが選択された状態になって再生動作を終了する。“ｏｎｃｅ”且つ“Ａｌｌ”に設定されている場合、選択されたファイルの演奏が終了すると、同一仮想ＣＤ内の次のファイルが選択されて演奏を開始する。仮想ＣＤ内の最後のファイルの演奏が終了した場合は、次の仮想ＣＤが選択され、新たに選択された仮想ＣＤの先頭ファイルが選択されて、そのファイルの演奏を開始する。最後の仮想ＣＤ内の最後のファイルの演奏が終了した場合は、最初の仮想ＣＤが選択され、その仮想ＣＤの先頭のファイルが選択された状態になって再生動作を終了する。
【００３３】
“ｒｅｐｅａｔ”且つ“Ｍｕｓｉｃ”に設定されている場合、選択されたファイルの演奏が終了すると、同一ファイルの演奏を先頭から再度開始する。“ｒｅｐｅａｔ”且つ“Ｄｉｓｃ”に設定されている場合、選択されたファイルの演奏が終了すると、同一仮想ＣＤ内の次のファイルが選択されて演奏を開始する。仮想ＣＤ内の最後のファイルの演奏を終了すると、同一仮想ＣＤ内の先頭のファイルが選択され、そのファイルの演奏を開始する。“ｒｅｐｅａｔ”且つ“Ａｌｌ”に設定されている場合、選択されたファイルの演奏が終了すると、同一仮想ＣＤ内の次のファイルが選択されて演奏を開始する。仮想ＣＤ内の最後のファイルの演奏を終了すると、次の仮想ＣＤが選択され、新たに選択された仮想ＣＤの先頭ファイルが選択されて、そのファイルの演奏を開始する。最後の仮想ＣＤ内の最後のファイルの演奏を終了すると、最初の仮想ＣＤが選択され、その仮想ＣＤの先頭のファイルが選択されて、そのファイルの演奏を開始する。
【００３４】
図５は、図４に加えてＰｌａｙ  ｍｏａｅボタンにＰｒｏｇｒａｍボタンが追加されている例を示している。このＰｒｏｇｒａｍボタンを使用すると、別途ｐｒｏｇｒａｍ  ｗｉｎｄｏｗが表示され、仮想ＣＤ単位ではないプログラム演奏のプレイリストを作成して演奏することができる。プログラムリストへの音楽ファイルの追加は、例えばｍａｉｎ  ｗｉｎｄｏｗに表示されているタイトルをマウスで選択し、ｐｒｏｇｒａｍ  ｗｉｎｄｏｗにドラッグ＆ドロップすることによって行うことができる。
【００３５】
以上説明したように、本実施形態によれば、グループ情報ファイルを読み込んで、音楽ファイルを仮想ＣＤとしてグループ化することによって、仮想ＣＤ単位でタイトル等のデータを管理、表示することができ、またファイル単位、仮想ＣＤ単位の再生制御を行うことができる。
【００３６】
また、グループ情報ファイルを１つ特定のパス名で作成することにより、記録媒体を他の機器に移動した場合でも、自動的に所定のパス名のファイルを検索して読み込むことによって、同一の仮想ＣＤ環境をユーザに提供することができる。更に、グループ情報ファイルを１つ又は複数作成して、ユーザが所望のグループ情報ファイルを選択できるように構成することもできる。
【００３７】
＜第２の実施形態＞
図６は、本発明の第２の実施形態を説明するための図であり、本実施形態のグループ情報ファイルの構成例を示したものである。記録媒体上に図６（Ａ）に示されるようなグループ情報ファイルが存在している状態で、１０曲入りのＣＤのデータを音楽ファイルとして記録媒体に書き込んだ場合には、図６（Ｂ）に示すようなグループ情報ファイルが作成される。
【００３８】
グループ情報ファイルの先頭にある“ｇｒｏｕｐ  ｎｕｍｂｅｒ”フィールドの値は２から３に変更され、既存の仮想ＣＤ情報の末尾に新たに作成された仮想ＣＤ情報が追加される。この場合、記録開始時にＣＤのタイトルやアーチスト名を指定しない場合、仮想ＣＤデータの“ｇｒｏｕｐ  ｔｉｔｌｅ”、“ｇｒｏｕｐ  ａｒｔｉｓｔ”のフィールドは空欄となる。
【００３９】
音楽ファイルの記録時には、ＣＤの各トラックは個別の音楽ファイルとして記録され、記録器は記録器独自のルールで各ファイルにパス名を付けて記録する。各音楽ファイル情報の“ｍｕｓｉｃ  ｔｉｍｅ”、“ｍｕｓｉｃ  ａｒｔｉｓｔ”フィールドは空欄となり、演奏時間とファイルのパス名が“ｍｕｓｉｃ  ｔｉｍｅ”、“ｍｕｓｉｃ  ｐａｔｈ”フィールドに記録される。
【００４０】
図７は、前記グループ情報ファイル（図６（Ｂ））を使用したファイル再生アプリケーションのイメージを示した図である。Ｄｉｓｃ  Ｉｎｆｏｒｍａｔｉｏｎエリアには、仮想ＣＤのタイトルとアーチスト名が列挙されており、新たに作成された仮想ＣＤの情報がリストの末尾に表示される。このとき“ｇｒｏｕｐ  ｔｉｔｌｅ”が空欄のためタイトルには“−Ｎｏ  ｔｉｔｌｅ−”と表示される。
【００４１】
Ｍｕｓｉｃ  Ｉｎｆｏｒｍａｔｉｏｎエリアに仮想ＣＤに収録されている音楽ファイルの情報が列挙されるが、“ｍｕｓｉｃ  ｔｉｔｌｅ”及び“ｍｕｓｉｃａｒｔｉｓｔ”が空欄なので、各音楽ファイルの演奏時間のみが表示される。
【００４２】
この表示されているエリアに仮想ＣＤのタイトル、アーチスト名、音楽ファイルのタイトル、アーチスト名を書き込むことによって、アプリケーションはグループ情報ファイルの該当フィールドを更新して、グループ情報ファイルを作成することが可能となる。
【００４３】
このように、本実施形態に示す手法を用いることによって、グループ情報ファイルの作成及び更新を行うことができ、仮想ＣＤを構成する情報を再生機器に提供することが可能となる。
【００４４】
上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４５】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００４８】
【発明の効果】
以上の説明より明らかなように、本発明によれば、複数のファイルを一つ又は複数のグループとして扱うためのグループ情報がグループ情報ファイルとして記録媒体上に記録されるので、このグループ情報ファイルを読み込むことによって仮想ＣＤ単位での管理及び再生制御が可能となり、ＣＤチェンジャーのような機能を提供することによりユーザの利便性を向上することができる。
【００４９】
また、本発明によれば、記録媒体上の所定の場所にグループ情報ファイルを作成することにより、記録媒体を別の再生機器に移動させた場合でも、その再生機器がグループ情報ファイルを読み込むことによって同様に仮想ＣＤ単位での管理及び再生制御を可能とすることができる。
【図面の簡単な説明】
【図１】本発明の一実施形態における再生機器の構成を機能的に示したブロック図である。
【図２】本発明の一実施形態における記録機器の構成を機能的に示したブロック図である。
【図３】本発明の第１の実施形態におけるグループ情報ファイルの構成例を示した図である。
【図４】本発明の第１の実施形態におけるグループ情報ファイルを使用したファイル再生アプリケーションのイメージを示した図である。
【図５】図４のファイル再生アプリケーションに加えてＰｌａｙ  ｍｏａｅボタンにＰｒｏｇｒａｍボタンを追加した例を示した図である。
【図６】本発明の第２の実施形態におけるグループ情報ファイルの構成例を示した図である。
【図７】本発明の第２の実施形態におけるグループ情報ファイルを使用したファイル再生アプリケーションのイメージを示した図である。
【符号の説明】
１  再生機器
２  記録機器
１１  グループ情報取得手段
１２  グルーピング手段
１３  再生制御手段
１４  更新手段
２１  ファイル記録手段
２２  グループ情報ファイル作成手段
【図１】
2004158057.tif 000003
【図２】
2004158057.tif 000004
【図３】
2004158057.tif 000005
【図４】
2004158057.tif 000006
【図５】
2004158057.tif 000007
【図６】
2004158057.tif 000008
【図７】
2004158057.tif 000009